(57)【特許請求の範囲】
【請求項１】
無線通信システムで端末がチャネル測定情報を基地局に送信する方法であって、
基地局から、絶対的時間情報及びサンプリングサイクル情報を含むチャネル測定設定情報を受信する受信ステップと、
前記サンプリングサイクル情報に基づいて、相対的時間情報と関連してチャネル情報を測定する測定ステップと、
前記相対的時間情報と関連した前記測定されたチャネル情報を記録する記録ステップと、
前記記録されたチャネル情報、前記相対的時間情報及び前記絶対的時間情報を前記基地局に送信する送信ステップと、を含み、
前記相対的時間情報は、前記絶対的時間に対して秒単位で測定されることを特徴とするチャネル測定情報送信方法。
【請求項２】
前記相対的時間情報の時間スタンプは、固定された大きさのビット（ｂｉｔ）フィールドを有することを特徴とする請求項１に記載のチャネル測定情報送信方法。
【請求項３】
前記記録されたチャネル情報は、
前記絶対的時間情報、サービングセルの識別情報、チャネル測定情報、位置情報及び前記相対的時間情報を含むことを特徴とする請求項１に記載のチャネル測定情報送信方法。
【請求項４】
前記記録ステップは、
前記ビットフィールドの大きさが現在の時間スタンプ情報を表現できるか否かを確認するステップと、
表現可能な場合には、前記ビットフィールドに前記時間スタンプ情報を記録するステップと、
表現不可能な場合には、最近の時間スタンプ情報をリセットするステップと、
をさらに含むことを特徴とする請求項２に記載のチャネル測定情報送信方法。
【請求項５】
無線通信システムでチャネル情報を測定して基地局に送信する端末であって、
基地局から、絶対的時間情報及びサンプリングサイクル情報を含むチャネル測定設定情報を受信し、記録されたチャネル情報を前記基地局に送信する送受信機と、
前記サンプリングサイクル情報に基づいて、相対的時間情報と関連してチャネル情報を測定し、前記相対的時間情報と関連した前記測定されたチャネル情報を記録する制御器と、  を含み、
前記相対的時間情報は、前記絶対的時間に対して秒単位で測定されることを特徴とする端末。
【請求項６】
前記相対的時間情報の時間スタンプは、固定された大きさのビット（ｂｉｔ）フィールドを有することを特徴とする請求項５に記載の端末。
【請求項７】
前記記録されたチャネル情報は、
前記絶対的時間情報、サービングセルの識別情報、チャネル測定情報、位置情報及び前記相対的時間情報を含むことを特徴とする請求項５に記載の端末。
【請求項８】
前記制御器は、
前記ビットフィールドの大きさが現在の時間スタンプ情報を表現できるか否かを確認し、表現可能な場合には、前記ビットフィールドに前記時間スタンプ情報を記録し、表現不可能な場合には、最近時間スタンプ情報をリセットするように制御することを特徴とする請求項６に記載の端末。
【発明の詳細な説明】
【技術分野】
【０００１】
本発明は、無線通信システム、特に、３ＧＰＰ（３ｒｄ  Ｇｅｎｅｒａｔｉｏｎ  Ｐａｒｔｎｅｒｓｈｉｐ  Ｐｒｏｊｅｃｔ）システムでＭＤＴ（Ｍｉｎｉｍｉｚａｔｉｏｎ  ｏｆ  Ｄｒｉｖｅ  Ｔｅｓｔ）機能を支援するためのＭＤＴ情報報告フォーマット及び時間スタンプ構成方法に関する。
【０００２】
本発明では、端末機がＭＤＴ測定情報をサービング（ｓｅｒｖｉｎｇ）基地局に伝達する過程において、必要な報告フォーマットを定義し、時間情報を記録するのに要求されるｂｉｔの数と記録時間の単位を設定する方法を提案する。
【背景技術】
【０００３】
一般的に、移動通信システムは、ユーザの移動性を確保しながらユーザに通信サービスを提供するための目的で開発された。このような移動通信システムは、技術の飛躍的な発展に力づけられて音声通信はもちろん、高速のデータ通信サービスを提供することができる段階に至った。近年、次世代移動通信システム中の一つである３ＧＰＰにおいて、ＬＴＥ−Ａ（Ｌｏｎｇ  Ｔｅｒｍ  Ｅｖｏｌｕｔｉｏｎ−Ａｄｖａｎｃｅｄ）に対する規格作業が進められている。ＬＴＥ−Ａは、２０１０年後半ごろの標準完成を目標にして、現在提供されているデータ送信率よりも高い送信速度を有する高速パケット基盤通信を実現する技術である。
【０００４】
３ＧＰＰ標準が進化するにつれて、通信速度を高めようとする方案の以外にも、容易に無線網を最適化させようとする方案が議論中である。一般的に、無線網の初期構築時に又は網最適化時に、基地局または基地局制御局は、自分のセルカバレッジに対する無線環境情報を収集しなければならず、これをドライブテスト（Ｄｒｉｖｅ  Ｔｅｓｔ）という。既存のドライブテストは、主に測定者が自動車に測定装備を載せて、測定業務を長時間にわたり繰り返して行わなければならないという煩わしさがあった。前記測定された結果は、分析過程を経て各基地局または基地局制御局のシステムパラメータ（Ｐａｒａｍｅｔｅｒ）を設定するのに利用される。このようなドライブテストは、無線網の最適化費用及び運営費用を増加させ、多くの時間を所要するようにする。したがって、ドライブテストを最小化し、無線環境に対する分析過程及び手動設定を改善させるための研究がＭＤＴという名前で進められている。これのために、ドライブテストの代りに端末機は、チャネル測定をしておいて、周期的にまたは特定イベント（ｅｖｅｎｔ）が発生する時に、該当無線チャネル測定情報を基地局に直ちに伝達するか、または、無線チャネル測定情報の格納後に一定時間が経過した後、基地局に伝達する。以下では、端末機が測定した無線チャネル測定情報及びその他の付加情報を基地局に送信する動作をＭＤＴ測定情報報告と称する。この場合、端末は、基地局と通信が可能であれば、前記チャネル測定結果を直ちに基地局に送信し、または、即時報告が不可能であれば、これを記録しておいて、今後通信が可能になってから、基地局に記録したＭＤＴ測定情報を報告する。そうすれば、基地局は、端末から受信されたＭＤＴ測定情報をセル領域の最適化のために利用する。ＬＴＥ−Ａでは、端末機のＲＲＣ状態（ＵＥ  ＲＲＣ  ｓｔａｔｅ）によって基本的なＭＤＴ測定情報報告動作を下の表１のように分類する。
【０００５】
【表１】
0005899216.tif 000002
【０００６】
前記表１において、端末機が基地局と通信していない状態を待機モード（ｉｄｌｅ  ｍｏｄｅ）といい、通信している状態を連結モード（ｃｏｎｎｅｃｔｅｄ  ｍｏｄｅ）という。ＭＤＴの場合、端末で測定されたチャネル情報は、ＲＲＣシグナリング（ｓｉｇｎａｌｉｎｇ）に送信されるので、たとえ端末が待機モード状態といっても、該当情報送信のために連結モードに変更することができない。この場合、端末機は、基地局と連結モードに変更される時までに、チャネル測定情報を記録するだけで、送信を延期させる。
【０００７】
一方、ＭＤＴ測定情報は、ＲＲＣ及びＮＡＳ信号を処理するための制御プレーン（ｃｏｎｔｒｏｌ  ｐｌａｎｅ）プロトコル構造を利用して基地局に伝達される。
図１は、一般的な制御プレーンプロトコル構造を示している。ＲＲＣ階層１０５，１５５は、システム情報送信、ＲＲＣ連結制御、チャネル測定制御などの動作を担当する。ＰＤＣＰ１１０，１５０は、ＩＰヘッダ圧縮／復元などの動作を担当し、ＲＬＣ１１５，１４５は、ＰＤＣＰ  ＰＤＵを適切な大きさに再構成した後、ＡＲＱ動作などを行う。ＭＡＣ階層１２０，１４０は、一つの端末から構成された様々なＲＬＣ装置と連結され、ＲＬＣ  ＰＤＵをＭＡＣ  ＰＤＵに多重化してＭＡＣ  ＰＤＵからＲＬＣ  ＰＤＵを逆多重化する動作を行う。前記プロトコル階層装置では、必要に応じて適切なヘッダが付加されるが、例えば、ＲＬＣ装置は、ＲＬＣ  ＳＤＵに一連番号などを含むＲＬＣヘッダを付加し、ＭＡＣ装置は、ＭＡＣ  ＳＤＵにＲＬＣ装置識別子などを含むＭＡＣヘッダを付加する。物理階層１２５，１３５は、ＭＡＣ  ＰＤＵをチャネルコーディング、変調してＯＦＤＭシンボルに製作し、無線チャネル１３０に送信するか、無線チャネル１３０を介して受信したＯＦＤＭシンボルを復調、チャネル復号化して上位階層に伝達する動作を行う。また、物理階層１２５，１３５は、前記ＭＡＣ  ＰＤＵに対するＨＡＲＱ（Ｈｙｂｒｉｄ  Ａｕｔｏｍａｔｉｃ  Ｒｅｔｒａｎｓｍｉｓｓｉｏｎ  ｒｅＱｕｅｓｔ）動作も行う。ＨＡＲＱは、物理階層で再送信を行い、再送信されたパケットと本来パケットを軟性結合（ｓｏｆｔ  ｃｏｍｂｉｎｉｎｇ）する技法である。
【０００８】
図２のように、端末機によって記録されたＭＤＴ測定情報は、シグナリング無線ベアラ２（Ｓｉｇｎａｌｌｉｎｇ  Ｒａｄｉｏ  Ｂｅａｒｅｒ  ２，ＳＲＢ２）を通じてＲＲＣ階層からＰＤＣＰ階層に伝達される。ＲＲＣ階層２０５からＰＤＣＰ階層２３０に伝達されるＲＲＣ制御メッセージまたはＮＡＳメッセージ２１０は、ＳＲＢ０  ２１５、ＳＲＢ１  ２２０またはＳＲＢ２  ２２５を通じて伝達される。ＳＲＢ０は、ＣＣＣＨに送信されるＲＲＣメッセージを伝達するのに使用される。最も優先順位が高い。ＳＲＢ１は、ＤＣＣＨに送信されるＲＲＣメッセージを伝達するのに使用され、一部のＰｉｇｇｙｂａｃｋされた形態に送信されるＮＡＳメッセージの伝達にも使用される。ＳＲＢ２は、ＤＣＣＨに送信されるＮＡＳメッセージを伝達するのに使用される。ＳＲＢ１とＳＲＢ２に送信されるパケットは、全部ｉｎｔｅｇｒｉｔｙ及びｃｉｐｈｅｒｉｎｇ過程を通じて、符号化される。そして、ＳＲＢ１は、ＳＲＢ２よりも優先順位が高い。ＭＤＴ測定情報は、最も優先順位が低いＳＲＢ２を介して伝達される。ＳＲＢ０〜２の他に、ユーザプレーン（ｕｓｅｒ  ｐｌａｎｅ）データを送信するのに使用されるデータ無線ベアラ（Ｄａｔａ  Ｒａｄｉｏ  Ｂｅａｒｅｒ、ＤＲＢ）２５０が存在する。ＤＲＢに伝達されるパケットは、ｃｉｐｈｅｒｉｎｇ及びＲＯＨＣ２５５の過程を経て、ＲＬＣ２６５階層に伝達され、ＲＬＣ階層は、該当パケットをＤＴＣＨにマッピング（ｍａｐｐｉｎｇ）する。
【０００９】
待機モードの端末機は、周期的にまたは測定した情報が特定イベントを満足させる場合、ＭＤＴ測定情報を記録する。ＭＤＴ測定情報を記録するイベントに対する一例は、下の通りである。
（１）周期的なダウンリンクパイロット信号測定（Ｐｅｒｉｏｄｉｃａｌ  ｄｏｗｎｌｉｎｋ  ｐｉｌｏｔ  ｍｅａｓｕｒｅｍｅｎｔｓ）
（２）サービングセルの測定信号が基準値以下（Ｓｅｒｖｉｎｇ  Ｃｅｌｌ  ｂｅｃｏｍｅｓ  ｗｏｒｓｅ  ｔｈａｎ  ｔｈｒｅｓｈｏｌｄ）
（３）送信電力ヘッドルームが基準値以下（Ｔｒａｎｓｍｉｔ  ｐｏｗｅｒ  ｈｅａｄｒｏｏｍ  ｂｅｃｏｍｅｓ  ｌｅｓｓ  ｔｈａｎ  ｔｈｒｅｓｈｏｌｄ）
記録されるＭＤＴ測定情報は、下の通りである。
（１）サービングセルのｇｌｏｂａｌ  ｃｅｌｌ  ＩＤ情報
（２）サービングセルの基準信号受信電力（Ｒｅｆｅｒｅｎｃｅ  Ｓｉｇｎａｌ  Ｒｅｃｅｉｖｅｄ  Ｐｏｗｅｒ，ＲＳＲＰ）及び基準信号受信品質（Ｒｅｆｅｒｅｎｃｅ  Ｓｉｇｎａｌ  Ｒｅｃｅｉｖｅｄ  Ｑｕａｌｉｔｙ，ＲＳＲＱ）の測定情報
（３）位置情報
（４）時間情報
【００１０】
ＭＤＴ測定情報は、基本的にサービングセルを区別することができる識別情報、特に、ｇｌｏｂａｌ  ｃｅｌｌ  ＩＤ情報を含んでいなければならない。これは、該当情報がどのセルで収集されたかを知らせる。Ｇｌｏｂａｌ  ｃｅｌｌ  ＩＤは、唯一に（ｕｎｉｑｕｅ）特定の一つのセルを示すべきである。サービングセルの無線チャネル状態は、特定のｍｅａｓｕｒｅｍｅｎｔを通じて表現される。ＥＵＴＲＡではＲＳＲＰとＲＳＲＱ、ＵＴＲＡＮではＲＳＣＰとＥｃ／Ｎｏ、ＧＥＲＡＮではＲｘｌｅｖなどがこれに該当する。本発明では、ＥＵＴＲＡ  ＬＴＥシステムを基本として記述するが、他の様々なシステムにも適用可能である。３ＧＰＰでは、ＭＤＴ機能をＬＴＥとＵＭＴＳに適用する予定である。
【００１１】
基地局に伝達されるＭＤＴ測定情報のうち、位置情報は、重要な要素である。ＧＰＳ基盤の位置情報を得ることができない場合には、隣接基地局から受信された信号強さの集合（ｓｅｔ）を測定して基地局に知らせ、このような信号強さの集合をＲＦフィンガープリント（ＲＦ  ｆｉｎｇｅｒｐｒｉｎｔ）という。ＲＦフィンガープリントを受信した基地局は、隣接基地局の位置情報をあらかじめ知っていて、隣接セルの信号強さ値を信号経路減衰モデルに適用して、隣接セルと端末機間の距離を予測することができる。隣接基地局の位置情報と、予測された隣接セルと端末機間の距離値を三角距離測量のような技法に適用すれば、概略的な端末機の位置が分かる。端末機がＧＰＳ基盤の位置情報を取得することができない場合、ＲＦフィンガープリントを利用して正確な位置情報の代わりに、予測情報を基地局に送信することができる。
【００１２】
時間情報をも、ＭＤＴ測定情報で重要な要素である。無線チャネルを測定する時、時間情報がサービス領域を最適化するのに重要な役割をする。これは、時間帯別に無線チャネルの状態が変わるためである。また、時間情報は、連結モードにおける即時報告よりは、待機モードにおける記録後の報告においてさらに重要に活用される。連結モードにおける即時報告は、報告の直前に測定した結果が含まれるので、時間情報が大きく重要ではない。しかし、待機モードにおける記録後の報告では、時間情報がなければ、いつ測定が行われたか全く予測することができない。したがって、現在開発が進められている３ＧＰＰ標準では、連結モードにおける即時報告には、時間情報が入らないが、待機モードにおける記録後の報告には、時間情報が必須情報として含まれた。
【００１３】
時間情報は、様々な形態で提供される。その形態といえば、端末機は、絶対的時間を提供したり、相対的時間を報告することができる。絶対的時間は、該当時間情報を報告するために多数のｂｉｔが必要である。それに反して相対的時間は、必要なｂｉｔの数が相対的に絶対的時間よりも少ない。
【００１４】
３ＧＰＰ標準では、シグナリングオーバーヘッド（ｓｉｇｎａｌｉｎｇ  ｏｖｅｒｈｅａｄ）を減らすために、相対的時間情報をＭＤＴ測定情報に含ませる。基地局は、端末に絶対的時間の基準情報を提供し、端末は、提供された絶対的時間を基準として相対的時間スタンプを各測定サンプルに含ませる。また、ＭＤＴ測定完了後、基地局に記録した測定情報を報告する時、基地局が先立って提供した絶対的時間の基準情報も共に知らせる。これは、初期に絶対的時間の基準情報を提供した基地局と、報告を受けた基地局とが異なる場合があるからである。
【００１５】
図３は、待機モードにおいて記録後、報告でＭＤＴ測定過程を説明するためのフローチャートである。基地局３０５は、３１０ステップにおいて、連結モードの端末３００にＭＤＴを設定（ｃｏｎｆｉｇｕｒｅ）しながら必要な情報、すなわち、ＭＤＴ測定構成情報を伝達する。前記ＭＤＴ測定構成情報は、絶対的時間の基準情報、サンプリングサイクル（ｓａｍｐｌｉｎｇ  ｃｙｃｌｅ）、測定期間（ｍｅａｓｕｒｅｍｅｎｔ  ｄｕｒａｔｉｏｎ）等が含まれる。絶対的時間の基準情報は、すでに前で説明した。サンプリングサイクルは、周期的なダウンリンクパイロット信号を測定するために使用され、提供されたサイクル毎に無線チャネルを測定する。測定期間は、ＭＤＴを実行する総時間である。該当時間が経過すれば、端末は、ＭＤＴ実行を中止する。
【００１６】
端末３００は、３１５ステップにおいて、基地局３０５とのＲＲＣ連結状態が連結モードから待機モードに変更されれば、ＭＤＴ測定の実行を開始する。そうすれば、３２０ステップにおいて、端末３００の最初のＭＤＴ測定及び記録が行われ、続けて３２５ステップのように、あらかじめ提供されたサンプリングサイクル毎にＭＤＴ測定及び記録が行われる。そうすれば、３３０ステップで示したように、各測定サンプル毎に前で説明したＭＤＴ測定情報が記録される。
【００１７】
そうしている中、端末３００が３３５ステップで連結モードに入れば、端末３００は、３４０ステップで記録したＭＤＴ測定情報があるか又はないことを基地局３０５に知らせる。基地局３０５は、状況によって報告を要請することができる。要請がある場合には、端末３００は、今まで記録したＭＤＴ測定情報を報告し、記録された情報を削除する。要請がない場合には、端末３００は、続けて記録情報を維持する。再び端末３００が３４５ステップで待機モードに入り、未だ測定期間が指示している時間が経過していなければ、端末３００は、３５０ステップにおいて、継続してＭＤＴ動作を行ってＭＤＴ測定情報を収集する。測定期間は、連結モードにおける時間を考慮してもよく、考慮しなくてもよい。３５５ステップにおいて測定期間が満了すれば、端末３００は、ＭＤＴ実行を中断する。
【００１８】
端末が３６０ステップで連結モードに入り、再び記録したＭＤＴ測定情報があることを基地局に知らせて、基地局が要請するとき、記録したＭＤＴ測定情報を報告する過程を行う （３６５ステップ）。
【００１９】
ところが、端末がＭＤＴ測定情報を基地局へより効果的に報告するためには、基地局へ報告されるＭＤＴ情報報告のフォーマット及び時間スタンプ構成が定義される必要がある。
【発明の概要】
【発明が解決しようとする課題】
【００２０】
本発明の目的は、移動通信システムでＭＤＴ（Ｍｉｎｉｍｉｚａｔｉｏｎ  ｏｆ  Ｄｒｉｖｅ  Ｔｅｓｔ）機能を支援するためのＭＤＴ情報報告フォーマット及び時間スタンプを構成する方法、並びにこれのための装置を提供することにある。
【００２１】
これのために本発明の具体的な目的は、端末がＭＤＴ測定情報をサービング基地局に伝達する過程で必要な報告フォーマットを定義し、時間情報を記録するのに要求されるｂｉｔの数と記録時間の単位を設定する方法及びこれのための装置を提供することにある。
【課題を解決するための手段】
【００２２】
上記のような目的を達成するための本発明の無線通信システムにおいて、端末のチャネル測定情報を基地局に送信する方法は、基地局から送信されるチャネル測定設定情報を受信する受信ステップと、前記チャネル測定設定情報に含まれた周期によって無線チャネル情報を測定する測定ステップと、あらかじめ設定された時間スタンプを利用して前記測定された無線チャネル情報を記録する記録ステップと、前記記録された無線チャネル情報を前記基地局に送信する送信ステップと、を含むことを特徴とする。
【００２３】
また、本発明の無線通信システムで無線チャネル情報を測定して基地局に送信する端末は、基地局から送信されるチャネル測定設定情報を受信し、生成されたチャネル測定情報を前記基地局に送信する送受信機と、前記チャネル測定設定情報に含まれた周期によって無線チャネル情報を測定し、あらかじめ設定された時間スタンプを利用して前記測定された無線チャネル情報を記録し、前記記録された無線チャネル情報を前記基地局に送信するように制御する制御器と、を含むことを特徴とする。
【００２４】
本発明の実施例によれば、前記時間スタンプは、固定された値を有することができる。また、本発明の実施例によれば、前記時間スタンプを格納するビット（ｂｉｔ）フィールドの大きさも、固定された値を有することができる。
本発明によれば、端末は、ＭＤＴ測定情報をサービング基地局へより効果的に報告することができる。
【図面の簡単な説明】
【００２５】
【図１】ＬＴＥシステムにおける一般的な制御プレーンプロトコル構造である。
【図２】ＬＴＥシステムにおけるＳＲＢマッピング概念図である。
【図３】待機モードで記録後、報告でＭＤＴ測定過程を説明するためのフローチャートである。
【図４】記録されたＭＤＴ測定情報の報告フォーマットである。
【図５】第１実施例で端末の動作フローチャートである。
【図６】第２実施例で端末の動作フローチャートである。
【図７】第３実施例で計算された時間スタンプ単位と時間情報逆算を説明するための図面−１である。
【図８】第３実施例で計算された時間スタンプ単位と時間情報逆算を説明するための図面−２である。
【図９】第３実施例で端末の動作フローチャートである。
【図１０】第４実施例で端末の動作フローチャートである。
【図１１】本発明で端末のブロック図である。
【発明を実施するための形態】
【００２６】
本発明は、３ＧＰＰシステムでＭＤＴ（Ｍｉｎｉｍｉｚａｔｉｏｎ  ｏｆ  Ｄｒｉｖｅ  Ｔｅｓｔ）機能を支援するためのＭＤＴ情報報告フォーマット及び時間スタンプ構成方法に関する。
【００２７】
本発明では、端末機がＭＤＴ測定情報をサービング基地局に伝達する過程で必要な報告フォーマットを定義し、時間情報を記録するのに要求されるｂｉｔの数と記録時間の単位を設定する方法を提案する。
【００２８】
図４は、端末で記録されたＭＤＴ測定情報の報告フォーマットである。報告フォーマットは、大きくヘッダ４００と、特定時間に収集したＭＤＴ測定情報の集合４０５とから構成されている。
【００２９】
ヘッダには、次の一つまたは多数の情報が含まれる。
−絶対的な基準時間（Ｅｃｈｏｅｄ  ａｂｓｏｌｕｔｅ  ｔｉｍｅ）：相対的な時間スタンプを使用するために基準になる絶対的な基準時間であって、端末が基地局にＭＤＴ測定情報を報告する時、再び知らせるようになっている。
−Ｓａｍｐｌｉｎｇ  ｃｙｃｌｅ：周期的にＭＤＴ測定情報を記録するｅｖｅｎｔの場合に使用されるサイクル値
−Ｍｅａｓｕｒｅｍｅｎｔ  ｔｙｐｅ：周期的なＭＤＴ測定または特定ｍｅａｓｕｒｅｍｅｎｔタイムであることを知らせるフィールド
ＭＤＴ測定情報の各サンプルには、次の一つまたは多数の情報が含まれる。
−ＩＥ  ｉｎｄｉｃａｔｏｒｓ：各構成情報（すなわち、相対的な時間情報、ｇｌｏｂａｌ  ｃｅｌｌ  ＩＤ、ＲＳＲＰ／ＲＳＲＱ測定情報、位置情報）がサンプル内に存在するかを示す。
−サービングセルのｇｌｏｂａｌ  ｃｅｌｌ  ＩＤ情報
−サービングセルのＲＳＲＰ及びＲＳＲＱの測定情報
−相対的な時間情報（Ｒｅｌａｔｉｖｅ  ｔｉｍｅ  ｓｔａｍｐ）
−位置情報
【００３０】
相対的な位置情報であって、相対的な時間スタンプ（Ｒｅｌａｔｉｖｅ  ｔｉｍｅ  ｓｔａｍｐ）は、特定時間を示す単位を使用して表現される。例えば、相対的な時間スタンプ値１を１．２８秒に定義すれば、１．２８秒の倍数単位の時間で相対的な時間を示すことができる。ＭＤＴ測定装置は、実際のサンプリング周期によってチャネル状態を測定するようになり、測定結果の記録時には、前記時間スタンプを利用して記録するようになる。
【００３１】
相対的な時間スタンプ単位は、特定時間に固定して定義することも可能であり、時間情報を示すことができるｂｉｔの数を考慮して単位を定義することも可能である。本発明では、二種類の場合に対して、時間情報を示すのに必要なｂｉｔの数を導き出す方法、時間スタンプの１単位が示す特定時間大きさを決定する方法、端末の動作を提案する。
【００３２】
＜＜第１実施例＞＞
時間スタンプの１単位が示す特定時間の大きさ（以下「時間スタンプ単位」と称する）と、時間情報を格納するｂｉｔフィールド（以下「時間情報フィールド」と称する）との大きさを全部一定に固定することができる。例えば、時間スタンプ単位が１．２８秒と仮定（好ましくは、１秒であってもよい）すれば、３時間の測定期間を表現するためには、１３ｂｉｔｓの時間情報フィールドが必要である。時間スタンプ単位は、一般的にサンプリングサイクルと同一に設定することが好ましい。仮に、時間スタンプ１単位＝１．２８秒、時間情報フィールド＝１３ｂｉｔｓに固定された値を使用すれば、これは、非常に簡単ではあるが、非効率的である。なぜなら、測定期間が３時間よりも短いか又は長い場合には、時間情報フィールドで使用しないｂｉｔが存在して、無駄をもたらすか、または、正確に時間を示すことができない状況が発生するからである。例えば、測定期間が１．５時間であれば、実際時間情報に使用されるｂｉｔの数は、約１３ｂｉｔｓの半分程度しかならない。これとは反対に、測定期間が４時間であれば、１３ｂｉｔｓではすべての時間を表示することができない。実際測定期間は、状況によって多様な値がｃｏｎｆｉｇｕｒｅされるので、時間情報フィールドに時間スタンプ値を記録する時、これを具体的に処理することができる方法が必要である。時間スタンプ１単位＝１．２８秒、時間情報フィールド＝１３ｂｉｔｓに固定された値を使用する時、１３ｂｉｔｓに示すことができる時間は、概略３時間である。測定期間がこれよりも短い場合には、使用されていないｂｉｔは、０に処理すれば良い。逆に、測定期間が３時間よりも長い場合には、様々な処理方法がある。第一の方法は、時間情報フィールドでこれ以上測定期間を示すことができなければ、時間スタンプを１値（すなわち、最初の時間スタンプ値）にリセットする。このように処理する場合、基地局は、初期に時間スタンプ１値を有したサンプルと、現在時間スタンプ１値に処理したサンプルとを区別しなければならない手続が附加的に必要である。サンプルは、一般的に順次に記録されるので、先に受信されるか又は先に復号化されたサンプルを、早い時間に記録されたサンプルであると見なすことができる。
【００３３】
さらに他の方法は、時間情報フィールドで示すことができる時間範囲を超えると、これを無視して最終時間スタンプ値を再使用することである。これは、時間情報フィールドで示すことができる時間範囲よりも大きい時間を示すことができないので、基地局が初期に測定期間を設定する時、これを考慮して決定しなければならない。
【００３４】
図５は、第１実施例に係る端末の動作順序を示すフローチャートである。
端末は、５００ステップにおいて、基地局からＭＤＴ構成情報を通じて絶対的基準時間、測定期間、サンプリングサイクル値の提供を受ける。この後、端末は、待機モードに変更する時、ＭＤＴ測定を行う。また、端末は、５１０ステップにおいて、サンプリングサイクルが引き返されるか否かを確認する。
【００３５】
測定結果を記録する時点であれば、端末は、５１５ステップ〜５３０ステップを経て、サンプルに記録する情報を収集する。特定イベントによってＭＤＴ測定情報を記録する場合には、５１０ステップを考慮せずに、５１５ステップに直ちに移動することも可能である。
【００３６】
前記５１５ステップ〜５３０ステップについて、より具体的に説明する。
端末は、５１５ステップにおいて、サービングセルを区別することができる識別情報、特に、グローバルセルＩＤ（Ｇｌｏｂａｌ  Ｃｅｌｌ  ＩＤ）を取得する。続いて、端末は、５２０ステップにおいて、無線チャネル状態を測定する。本発明の実施例によれば、端末は、特に、基準信号受信電力（ＲＳＲＰ）及び基準信号受信品質（ＲＳＲＱ）を測定することができる。また、端末は、５２５ステップにおいて、自分の位置情報を取得し、５３０ステップにおいて、あらかじめ決定された時間スタンプ単位及び絶対時間に基づいて現在の時間スタンプ値を決定することができるか否かを判断する。また、端末は、５３５ステップにおいて、時間情報フィールドの大きさが現在の時間スタンプ情報を表現することができるか否かを確認する。表現できる場合には、端末は、５４０ステップで時間情報フィールドに時間スタンプ情報を記録し、表現できない場合には、端末は、５４５ステップで最も最近の時間スタンプ情報または時間スタンプ値をリセットして１から再び記録する。最終的に収集したＭＤＴ測定情報を５５０ステップで一つのサンプルに記録する。５５５ステップで測定期間が満了されたか否かを確認する。満了した場合にはＭＤＴ動作を停止し、満了していない場合には、次のサンプリングサイクルまで待機した後、５１５ステップから再び行う。
【００３７】
＜＜第２実施例＞＞
前記第１実施例とは異なり、時間スタンプ単位を固定するが、時間情報フィールドの大きさを測定期間によって可変的に設定する方法がある。時間スタンプ単位は、任意の値に設定する。本発明の好ましい実施例によれば、前記時間スタンプ単位は、サンプリングサイクルと同一に設定される。本発明の第２実施例によれば、時間情報フィールド値は、基地局から構成される測定期間によって変わる。この場合、時間情報フィールドは、基地局から正確に提供されてもよく、測定期間と時間スタンプ単位に基づいて端末が計算して得ることもできる。必要な時間情報フィールドの大きさを計算する式は、下の通りである。
［ 式１］
Ｃｅｉｌｉｎｇ｛ｌｏｇ２（測定期間／ｔｉｍｅ  ｓｔａｍｐ  ｕｎｉｔ）｝
例えば、時間スタンプ単位をサンプリングサイクルと同一であると仮定すれば、必要な時間情報フィールドの大きさは、次の通りである。
−サンプリングサイクル＝５．１２ｓ、測定期間＝３６００ｓｅｃｏｎｄである時、
Ｒｅｌａｔｉｖｅ  ｔｉｍｉｎｇ  ｆｉｅｌｄ  ｓｉｚｅ＝１０ｂｉｔ
−サンプリングサイクル＝１０．２４ｓ、測定期間＝２４００ｓｅｃｏｎｄである時、
Ｒｅｌａｔｉｖｅ  ｔｉｍｉｎｇ  ｆｉｅｌｄ  ｓｉｚｅ＝８ｂｉｔ
【００３８】
時間情報フィールドの大きさは、基地局または端末で計算することができる。これは、時間スタンプ単位は、特定の仮定によって決定される値であり、測定期間は、基地局から端末に提供される値であるので、必要な時間情報フィールドの大きさを計算するための情報を基地局または端末が全部有することができるからである。したがって、基地局がこれを計算して端末に知らせることも可能であり、端末自体的に必要な情報を基地局から受信して計算することも可能である。
【００３９】
図６は、第２実施例に係る端末の動作順序を示すフローチャートである。
端末は、６００ステップにおいて、基地局からＭＤＴ測定構成情報の絶対的基準時間、測定期間、サンプリングサイクル値の提供を受ける。そうすれば、端末は、６０５ステップにおいて、基地局から提供を受けた測定期間と時間スタンプ単位を利用して時間情報フィールドの大きさを決定する。本発明の好ましい実施例によれば、前記時間スタンプ単位は、サンプリングサイクル値に設定される。この場合、端末は、前記式１により時間情報フィールドの大きさを決定することができる。
本フローチャートでは、端末が時間情報フィールドの大きさを計算したが、基地局が計算して端末に提供してもよい。
【００４０】
そうすれば、６１０ステップにおいて、端末は、待機モードに変わり、ＭＤＴ実行を開始する。また、端末は、６１５ステップにおいて、サンプリングサイクルが引き返されるか否かを確認する。記録する時点であれば、端末は、６２０ステップ〜６３５ステップを経て、サンプルに記録する情報を収集する。６２０ステップ〜６３５ステップは、図５の５１５ステップ〜５２５ステップと同一であるので、詳しい説明は省略する。仮に、端末が特定イベントによってＭＤＴ測定情報を記録する場合には、６１５ステップを考慮せずに、６２０ステップに直ちに移動することも可能である。端末は、６４０ステップにおいて、時間情報フィールドに時間スタンプ情報を記録し、最終的に収集したＭＤＴ測定情報を６４５ステップで一つのサンプルに記録する。６５０ステップで測定期間が満了したか否かを確認する。満了した場合にはＭＤＴ動作を停止し、満了していない場合には、次のサンプリングサイクルまで待機した後、６２０ステップから再び行う。
【００４１】
＜＜第３実施例＞＞
時間情報フィールドの大きさを固定するが、測定期間によって、時間スタンプ単位を調整してもよい。この場合には、時間情報フィールドの大きさが固定されているので、測定期間の時間を全部表現するためには、時間スタンプ単位を調整しなければならない。この実施例では、時間スタンプ単位が測定期間によって可変的であるので、以前の実施例のように時間スタンプ単位をサンプリングサイクルと同一の値に設定することができない。時間情報フィールドの大きさが小さい値に固定されたとすれば、長い測定期間に対して時間スタンプ単位が示す時間が大きいので、それだけ細かく時間を示すことはできない。したがって、初期に時間情報フィールドの大きさを適切に設定しなければならない。時間スタンプ単位は、時間情報フィールドの大きさと測定期間値に基づいて下の式のように決定される。
［式２］
時間スタンプ単位（ｔｉｍｅ  ｓｔａｍｐ  ｕｎｉｔ）＝測定期間／２ｘ
ここで、ｘは、時間情報フィールドの大きさ（ｂｉｔ）を示す。
例えば、図７のように
時間情報フィールドの大きさｘ＝８ｂｉｔ、測定期間＝３６００ｓｅｃｏｎｄ、サンプリングサイクル＝２．５６ｓｅｃｏｎｄである時、
時間スタンプ単位＝３６００／２５６＝１４．０６２５ｓｅｃｏｎｄ
このとき、６番目のサンプル７００の記録時間を導出すれば、ｔｉｍｅ  ｓｔａｍｐ＝１で２番目のサンプルであるので、
Ｒｅｌａｔｉｖｅ  ｔｉｍｅ＝［ｆｌｏｏｒ［（１４．０６／２．５６），１］＋２］×２．５６＝１７．９２ｓｅｃｏｎｄ
【００４２】
したがって、サンプルの記録時間は、下の一般化された式を通じて導き出すことができる。
［式３］
Ｒｅｌａｔｉｖｅ  ｔｉｍｅ  ｏｆ  ｔｈｅ  ｓａｍｐｌｅ＝［ｆｌｏｏｒ（ｒｅｌａｔｉｖｅ  ｔｉｍｉｎｇ  ｕｎｉｔ×Ｔｉｍｅ  ｓｔａｍｐ／サンプリングサイクル）＋ｐｏｓｉｔｉｏｎ］×サンプリングサイクル
【００４３】
時間スタンプ単位は、基地局または端末で計算することができる。これは、時間情報フィールドの大きさと測定期間は、基地局から端末に提供される値であるので、必要な時間情報フィールドの大きさを計算するための情報を基地局または端末が全部有することができるからである。したがって、基地局がこれを計算して端末に知らせることもでき、端末自体的に必要な情報を基地局から受信して計算することもできる。
【００４４】
サンプルの記録時間を計算するのに容易に、時間スタンプ単位をサンプリングサイクルの倍数に示すこともできる。すなわち、下の式のように時間スタンプ単位を決定する。
［式４］
時間スタンプ単位（ｔｉｍｅ  ｓｔａｍｐ  ｕｎｉｔ）＝Ｃｅｉｌｉｎｇ（測定期間／サンプリングサイクル）／２ｘ
このとき、特定サンプルの記録時間は、下の式の通りである。
［式５］
Ｒｅｌａｔｉｖｅ  ｔｉｍｅ  ｏｆ  ｔｈｅ  ｓａｍｐｌｅ＝（ｔｉｍｅ  ｓｔａｍｐ×ｒｅｌａｔｉｖｅ  ｔｉｍｅ  ｕｎｉｔ＋  ｐｏｓｉｔｉｏｎ）×サンプリングサイクル
【００４５】
例えば、図８のように、
時間情報フィールドの大きさｘ＝８ｂｉｔ、測定期間＝３６００ｓｅｃｏｎｄ、サンプリングサイクル＝２．５６ｓｅｃｏｎｄである時、
時間スタンプ単位（ｔｉｍｅ  ｓｔａｍｐ  ｕｎｉｔ）＝Ｃｅｉｌｉｎｇ（３６００／２．５６）／２５６＝６サンプリングサイクル
このとき、６番目のサンプル８００の記録時間を導出すれば、ｔｉｍｅ  ｓｔａｍｐ＝１で１番目のサンプルであるので、
Ｒｅｌａｔｉｖｅ  ｔｉｍｅ＝［６×１＋１］×２．５６＝１７．９２ｓｅｃｏｎｄ
【００４６】
図９は、第３実施例に係る端末の動作順序を示すフローチャートである。
端末は、９００ステップにおいて、基地局からＭＤＴ測定構成情報の絶対的基準時間、測定期間、サンプリングサイクル値の提供を受ける。また、端末は、９０５ステップにおいて、基地局から提供を受けた測定期間と時間情報フィールドの大きさを利用して、前記の式２によって時間スタンプ単位を決定する。ここで、時間情報フィールドの大きさは固定されており、基地局と端末はすでに知っている。
【００４７】
本フローチャートでは、端末が時間スタンプ単位を計算したが、基地局が計算して端末に提供することもできる。
【００４８】
９１０ステップにおいて、端末は、待機モードに変わり、ＭＤＴ実行を開始する。また、端末は、９１５ステップにおいて、サンプリングサイクルが引き返されるか否かを確認する。記録する時点であれば、端末は、９２０ステップから９３５ステップを経て、サンプルに記録する情報を収集する。前記９２０ステップ〜９３５ステップは、図５の５１５ステップ〜５２５ステップと同一であるので、詳しい説明は省略する。仮に、端末が特定イベントによってＭＤＴ測定情報を記録する場合には、９１５ステップを考慮せずに、９２０ステップに直ちに移動することも可能である。
【００４９】
端末は、９４０ステップにおいて、時間情報フィールドに時間スタンプ情報を記録し、最終的に収集したＭＤＴ測定情報を９４５ステップで一つのサンプルに記録する。９５０ステップで測定期間が満了したか否かを確認する。満了した場合にはＭＤＴ動作を停止し、満了していない場合には、次のサンプリングサイクルまで待機した後、９２０ステップから再び行う。
【００５０】
＜＜第４実施例＞＞
時間情報フィールドによるｏｖｅｒｈｅａｄを減らすことができる方法は、すべてのサンプルに時間スタンプを添付するのではなく、サンプル間の時間差がサンプリングサイクルと一致しないイベントが発生すれば、時間スタンプ値をサンプルに挿入することである。これは、サンプリングサイクルを知っている限り、以前に受信されたサンプルを根拠に時間を予測することができるからである。しかし、前記の第４実施例は、サンプリングサイクル毎にＭＤＴ測定情報を記録するｐｅｒｉｏｄｉｃ  ｐｉｌｏｔ  ｍｅａｓｕｒｅｍｅｎｔのみに適用することができ、ｅｖｅｎｔ−ｔｒｉｇｇｅｒｅｄの記録は、時間スタンプ値を適用しなければならない。
【００５１】
図１０は、第４実施例に係る端末の動作順序を示すフローチャートである。
端末は、１０００ステップで記録するサンプルが、ＭＤＴがｃｏｎｆｉｇｕｒａｔｉｏｎされた後、最初のサンプルであるか否かを確認する。最初のサンプルであれば、１００５ステップで時間スタンプをサンプルに添付する。最初のサンプルでなければ、以前のサンプルと現在のサンプルとの時間差がサンプリングサイクルと同一であるか否かを１０１０ステップで確認する。同一でなければ、１００５ステップで時間スタンプを現在のサンプルに添付する。同一であれば、１０１５ステップで時間スタンプを現在のサンプルに添付しない。
【００５２】
図１１は、本発明で端末のブロック図である。端末は、送受信機１１００を通じて、サービングセルのｇｌｏｂａｌ  ｃｅｌｌ  ＩＤ、ＲＳＲＰ／ＲＳＲＱ、位置情報などをそれぞれの測定機１１１０，１１１５，１１２０を通じて収集する。位置情報測定機１１２０は、ＧＰＳのような衛星信号受信機があれば、これを通じて位置情報を収集する。衛星信号受信機がなければ、周辺セルのＲＳＲＰ／ＲＳＲＱ値とＰｈｙｓｉｃａｌ  ｃｅｌｌ  ＩＤのような情報を収集して、基地局がこれを通じて位置情報を予測できるようにする。収集された情報は、制御器１１０５に送信すれば、制御器では、各測定機の制御だけでなく、時間スタンプを計算して最終的なサンプルを構成する役割をする。制御器１１０５は、時間スタンプ値を記録するために、送受信機１１００を介して基地局から必要な情報の提供を受ける。
【００５３】
より具体的に、制御器１１０５は、可変または固定された値を有する時間スタンプ単位及び時間情報フィールドの大きさによって時間スタンプを構成し、前記構成された時間スタンプによって前記測定された無線チャネル情報を記録するように制御する。
【００５４】
本発明の第１実施例によれば、前記制御器１１０５は、前記時間スタンプ単位及び時間情報フィールドの大きさが固定された値である場合には、前記時間情報フィールドの大きさが現在の時間スタンプ情報を表現できるか否かを確認する。また、制御器１１０５は、表現可能な場合には、前記時間情報フィールドに前記時間スタンプ情報を記録し、表現不可能な場合には、最近の時間スタンプ情報をリセットする。
【００５５】
また、本発明の第２実施例によれば、前記制御器１１０５は、前記時間スタンプ単位は、固定された値であり、前記時間情報フィールドの大きさは、可変値である場合には、前記時間情報フィールドの大きさを基地局から受信した測定期間情報及び決定された時間スタンプ単位から決定する。特に、制御器１１０５は、前記の式１によって前記時間情報フィールドの大きさ値を決定することができる。
【００５６】
また、本発明の第３実施例によれば、前記制御器１１０５は、前記時間スタンプ単位は可変値であり、前記時間情報フィールドの大きさが固定された値である場合には、前記時間スタンプ単位を基地局から受信した測定期間情報及び決定された時間情報フィールドの大きさから決定する。特に、制御器１１０５は、前記の式２によって前記時間スタンプ単位を決定することができる。
【００５７】
また、本発明の第４実施例によれば、前記制御器１１０５は、無線チャネル情報が記録される一つ以上のサンプル間の時間差がサンプリングサイクルと一致しない場合には、時間スタンプ情報をサンプルに挿入することもできる。
時間スタンプとともにＭＤＴ測定情報を記録したサンプルは、端末バッファ１１２５（または、格納部）に格納される。制御器１１０５は、端末が連結モードである時、端末がＭＤＴ測定情報を格納していることを基地局に知らせる。基地局は、必要に応じてＭＤＴ測定情報の報告を要請する。要請を受けた制御器１１０５は、端末バッファを制御して、基地局に格納されたＭＤＴ測定情報を報告するようにする。
【符号の説明】
【００５８】
RSRP    基準信号受信電力
RSRQ    基準信号受信品質
４００    ヘッダ
４０５    集合
１１０５    制御器
１１１０，１１１５，１１２０    測定機
１１２０    位置情報測定機
【図１】
0005899216.tif 000003
【図２】
0005899216.tif 000004
【図３】
0005899216.tif 000005
【図４】
0005899216.tif 000006
【図５】
0005899216.tif 000007
【図６】
0005899216.tif 000008
【図７】
0005899216.tif 000009
【図８】
0005899216.tif 000010
【図９】
0005899216.tif 000011
【図１０】
0005899216.tif 000012
【図１１】
0005899216.tif 000013